(57)【要約】【課題】米をキッチンユニットの湿気の少ない引出し内に一時貯蔵し、楽な姿勢で、容易に所要量を取出すことのできる米の収納箱を提供する。【解決手段】キッチンユニットに設けられる米の収納箱であって、引出し２とこの引出し２内に配設される内箱１とからなるとともに、上記引出し２の底板２１の奥側には上記内箱１の後底部を押し上げる付勢手段４が設けられ、上記内箱１の後板１２上端部には蓋体３が軸着手段５に回動自在に軸着されていることを特徴とする米収納箱。【選択図】図４
2005253870.tif 000002
【特許請求の範囲】
【請求項１】
キッチンユニットに設けられる米の収納箱であって、引出しとこの引出し内に配設される内箱とからなるとともに、上記引出しの底板の奥側には上記内箱の後底部を押し上げる付勢手段が設けられ、上記内箱の後板上端部には蓋体が軸着手段に回動自在に軸着されていることを特徴とする米収納箱。
【請求項２】
上記蓋体前部は米の取出し口を形成するように切り詰めて短くされ、蓋体後部は引出しの背板を覆うように長くされた請求項１に記載の米収納箱。
【請求項３】
上記付勢手段がバネ体である請求項１に記載の米収納箱。
【請求項４】
上記内箱がキッチンユニットの引出しの最上段に配設された請求項１に記載の米収納箱。
【発明の詳細な説明】
【技術分野】
【０００１】
本発明は、米の収納箱に関する。さらに詳しくは、キッチンの引出しを米の収納に用いる米収納箱に関する。
【背景技術】
【０００２】
従来、家庭内で消費される米は、キッチン内で、とくに、キッチンユニットの開き戸部分に米びつを配置して一時貯蔵するとともに、炊飯の都度所要量を取出して使用されることが多い。しかし、キッチンユニットの開き戸部分がシンクの下方に近い場合は、湿気の問題があり、また、取出し位置が低いため、無理な作業姿勢を取らなければならないという問題がある。
【特許文献１】特開平９−１３１２６６号公報（第１−３頁、第１、２図）
【特許文献２】特開平９−１３１２６７号公報（第１−３頁、第１、２図）
【発明の開示】
【発明が解決しようとする課題】
【０００３】
本発明は上記した問題点を解決して、米を湿気の少ない引出し内に一時貯蔵するとともに、楽な姿勢で、容易に所要量を取出すことのできる米の収納箱を提供することをその課題とする。
【課題を解決するための手段】
【０００４】
上記課題を解決するため、本発明においては、つぎのような技術的手段を講じている。すなわち、本発明によれば、キッチンユニットに設けられる米の収納箱であって、引出しとこの引出し内に配設される内箱とからなるとともに、上記引出しの底板の奥側には上記内箱の後底部を押し上げる付勢手段が設けられ、上記内箱の後板上端部には蓋体が軸着手段に回動自在に軸着されていることを特徴とする米収納箱が提供される。上記内箱はアルミニウム、プラスチックス等、軽量で引出しに容易に配設できるものが好ましく用いられる。
【０００５】
上記蓋体の前部は米の取出し口を形成するように切り詰めて短くされ、後部は引出しの背板を覆うように長くされることが好ましい。また、蓋体としてはポリプロピレン、ポリエチレン、ポリ塩化ビニル等の滑り性に優れたプラスチックスが好ましく用いられる。
【０００６】
上記付勢手段がバネ体であることが好ましい。バネ体としては、板バネ、弦巻きバネ、スプリング等金属のバネ弾性を利用したものが好ましく用いられる。また、上記内箱がキッチンユニットの引出しの最上段に配設されることが好ましい。
【発明の効果】
【０００７】
請求項１に記載の発明は上記のとおりであり、後付け可能な内箱がキッチンユニットの引出し内に配設され、引出しの底板の奥側にはこの内箱の後底部を押し上げる付勢手段が設けられているため、米の残量が減少すると内箱が付勢手段の反発力により持ち上がり、傾斜した内箱の手前に米が溜まって取出し易く、使い勝手のよい米収納箱とすることができる。また、内箱は別体であるため、取外して容易に清掃することができる。
【０００８】
上記内箱の後板上端部には蓋体が軸着手段に回動自在に軸着されているとともに、蓋体の前部は米の取出し口を形成するように切り詰めて短くされ、後部は引出しの背板を覆うように長くされているため、上記取出し口から米を容易に取り出せるとともに、取出し後、引出しを押し込むことによって蓋体が自動的に内箱を覆い、蓋をすることができる。
【０００９】
上記付勢手段をバネ体とし、引出しの底板の奥側と上記内箱の後底部との間に上記バネ体が介装されているため、米の重量に応じてバネ体が伸縮し、米の残量が少なくなると反発力が優勢となって内箱を持ち上げ、その結果、米が傾斜面を手前側に移動し、内箱前部に溜めることができる。また、上記内箱がキッチンユニットの引出しの最上段に配設されているため、楽な姿勢で米の取出し、移し入れを容易に行なうことができる。
【発明を実施するための最良の形態】
【００１０】
以下、本発明の実施形態について図面を参照して詳細に説明する。図１は、本発明にかかる米収納箱を示す分解斜視図である。図１からよくわかるように、上記米収納箱は、引出し２とこの引出し２内に配設される内箱１とからなり、引出し２の底板２１の奥側には付勢手段４としてのバネ体が設けられている。また、上記内箱１の後板１２の上端部には、蓋体３が軸着手段５によって回動自在に軸着され、蓋体３の軸着手段５より前部３１は、内箱１の前板１１との間に米の取出口を形成するように切り詰めて短くされ、軸着手段５より後部３２は引出し２の背板２２を覆うように長くされている。
【００１１】
図２は、図１に示す内箱１を引出し２に配設し、米を収納して引出し２を引出し用枠体に嵌装した状態を示す側断面図である。図２において、符号６１は引出し用枠体の上枠を、符号６２は下枠を表す。図１、図２より明らかなように、内箱１には付勢手段４によって、常に内箱１の後底部を押し上げる力が加えられるとともに、米の重量に応じて付勢手段４が伸縮する。すなわち、米を収納したとき、米の重量がバネの反発力に打ち勝てば、付勢手段４を押し下げ、押し下げられた付勢手段４の反発力と米の重量が拮抗したところで内箱１は静止する。このとき、上記蓋体３の前端は内箱１の前板１１との間に米の取出し口を形成するととともに、軸着手段５から後の蓋体後部３２は引出し２の背板２２から張り出される。
【００１２】
図３は、引出し２を引出しつつある状態を示す側断面図である。図３からよくわかるように、内箱１の重心は手前側にあるため、付勢手段４は内箱１の後底部を押し上げるとともに、蓋体３は自重で内箱１を覆う。さらに引出し２を引出すと、図４に示すように、付勢手段４は内箱１の後底部を押し上げるため軸着手段５も上方へ押し上げられる。一方、蓋体後部３２は引出し用枠体の上枠６１によって上方への動きを制限されているため、蓋体６は矢印で示すように回動し、引出し２の背板２２がストッパとなって内箱１の前部が開口する。以上述べたように構成することにより、米を容易に取り出すことができるとともに、とくに、米の残量が少なくなったときは、図４に示すように、傾斜した内箱１の手前側に溜まるため、使い勝手のよいものとなる。
【００１３】
図５は、本発明にかかる米収納箱をキッチンユニットの引出し最上段に適用した例を示す部分斜視図である。図５から、上記米収納庫がデザイン性よくキッチンユニットに収められ、米を湿気の少ない引出し内に一時貯蔵できるとともに、楽な姿勢で容易に所要量を取出し、また、移し入れできることが明らかである。
【図面の簡単な説明】
【００１４】
【図１】本発明にかかる米収納箱を示す分解斜視図である。
【図２】本発明の米収納箱を引出し用枠体に嵌装した状態を示す側断面図である。
【図３】本発明の米収納箱を引出し用枠体から引出しつつある状態を示す側断面図である。
【図４】本発明の米収納箱の蓋体が開いた状態を示す側断面図である。
【図５】本発明にかかる米収納箱をキッチンユニットの引出し最上段に適用した例を示す部分斜視図である。
【符号の説明】
【００１５】
１          内箱
１１        前板
１２        後板
２          引出し
２１        底板
２２        背板
３          蓋体
３１        前部
３２        後部
４          付勢手段
５          軸着手段
６１        引出し用枠体の上枠
６２        引出し用枠体の下枠
【図１】
2005253870.tif 000003
【図２】
2005253870.tif 000004
【図３】
2005253870.tif 000005
【図４】
2005253870.tif 000006
【図５】
2005253870.tif 000007